(57)【特許請求の範囲】
【請求項１】
マトリックス状に配置された素子で構成され、複数の表示部に複数の図柄を順次停止する電気的表示手段と、
複数の図柄をモータにより変動表示する機械的表示手段と、を有し、
前記電気的表示手段によって複数の各表示部に表示される同じ図柄の組合せでリーチとなり、
前記機械的表示手段によって表示される図柄は、前記電気的表示手段に表示される図柄を除いた他の図柄であって当たり図柄およびはずれ図柄で構成されるとともに、前記電気的表示手段に表示される図柄の種類数よりも少ない種類数で構成されており、
前記電気的表示手段における図柄の停止表示態様がリーチになると、当該電気的表示手段がリーチの停止表示態様を維持した状態で前記機械的表示手段が図柄を所定時間停止表示した後変動して次の図柄に図柄変更する間欠変動表示を行う間欠変動表示手段と、
始動口入賞検出スイッチが遊技球を検出したときに記憶される大当り判定用乱数の値が所定の値である場合に、前記機械的表示手段が間欠変動表示を行った後、前記電気的表示手段に表示されるリーチ図柄の種類に関係なく、前記当たり図柄で停止制御する図柄停止制御手段と、を有することを特徴とするパチンコ機。
【発明の詳細な説明】
【０００１】
【産業上の利用分野】
この発明は遊技盤に図柄表示装置が組付けられたパチンコ機に関する。
【０００２】
【従来の技術】
パチンコ機の遊技盤に装着された図柄表示装置による図柄の表示態様に関して種々の態様が提案されている。
【０００３】
【発明が解決しようとする課題】
本発明は図柄表示手段が表示する図柄の表示態様および図柄の組合わせ態様に関して新規な趣向を有するパチンコ機を提供することである。
【０００４】
【課題を解決するための手段】
本発明のパチンコ機は、マトリックス状に配置された素子で構成され、複数の表示部に複数の図柄を順次停止する電気的表示手段と、複数の図柄をモータにより変動表示する機械的表示手段と、を有している。又、前記電気的表示手段によって複数の各表示部に表示される同じ図柄の組合せでリーチとなる。そして、前記電気的表示手段における図柄の停止表示態様がリーチになると、当該電気的表示手段がリーチの停止表示態様を維持した状態で前記機械的表示手段が各図柄を所定時間停止表示した後変動して次の図柄に図柄変更する間欠変動表示を行う間欠変動表示手段と、始動口入賞検出スイッチが遊技球を検出したときに記憶される大当り判定用乱数の値が所定の値である場合に、前記機械的表示手段が間欠変動表示を行った後、前記電気的表示手段に表示されるリーチ図柄の種類に関係なく、前記当たり図柄で停止制御する図柄停止制御手段と、を有することを要旨とする。
【０００５】
【作用】
電気的表示手段における図柄の停止表示態様がリーチになると、表面に複数の図柄が配列された機械的表示手段は、各図柄を所定時間停止表示した後変動して次の図柄に図柄変更する間欠変動表示を行った後に停止する。そして、そのときの大当り判定用乱数の値が所定の値である場合には、前記機械的表示手段が間欠変動表示を行った後、前記電気的表示手段に表示されるリーチ図柄の種類に関係なく、前記当たり図柄で停止制御されて大当りとなり、入賞装置の大入賞口が開放される。
【０００６】
【発明の効果】
本発明は、電気的表示手段における表示部にリーチ図柄を表示した後、機械的表示手段による各図柄を所定時間停止表示した後変動して次の図柄に図柄変更する間欠変動表示を行い、特に、当たり図柄で停止するか否か、遊技者に興味を抱かせるので、新規な趣向を加えることができる。
【０００７】
【実施例】
次に、本発明の１実施例を図面にしたがって説明する。
パチンコ機の遊技盤１の遊技盤面１ａの中央部には図柄表示装置２が装着され、図柄表示装置２の下方に扉体３ａによって開閉される横長状の大入賞口４と、左右の始動口５と、大入賞口４に入賞した入賞球のうち特定の入賞球が通過する特定領域６とを有する入賞装置３が配設されている。
【０００８】
遊技盤面１ａには図柄表示装置２の左方および右方に配設されて左右の上入賞口７ａを有する左右の上固定式役物７が装着されるとともに、遊技盤面１ａには入賞装置３の斜め上方に配設されて左右の下入賞口８ａを有する左右の下固定式役物８が装着され、さらに、遊技盤面１ａの中央部付近には図柄表示装置２の直下に隣設されて中始動口９ａを有する始動装置９が装着されている。
【０００９】
入賞装置３には大入賞口４を開閉する大入賞口開放ソレノイド１０と、左右始動口５に入賞した入賞球を検出する左右の始動口入賞検出スイッチ１１と、大入賞口４に入賞した入賞球を検出する大入賞口入賞検出スイッチ１２と、特定領域６を通過した入賞球を検出する特定領域通過検出スイッチ１３とが組付けられている。
【００１０】
左右の上固定式役物７には左右上入賞口７ａに入賞した入賞球を検出する左右の上入賞口入賞検出スイッチ１４が組付けられ、始動装置９には中始動口９ａに入賞した入賞球を検出する中始動口検出スイッチ１５が組付けられている。
【００１１】
図柄表示装置２において、遊技盤面１ａに取付けられたベース枠２０にはその周縁部を残して開口部２０ａが開口されるとともに、ベース枠２０の上端の左右方向中央部には天入賞口２１が開口されている。
【００１２】
ベース枠２０の上部には前方へ突出された上枠部２０ｂが形成され、ベース枠２０の下部には後方へ突出された下枠部２０ｃとが形成され、ベース枠２０の上端には天入賞口２１の後方へ突出されて天入賞口２１に入賞した入賞球を後方へ誘導する樋片２０ｄが形成されている。
上枠部２０ｂの上端の前端面には天入賞口２１の前方に垂立された仕切り板２２がビス着されている。
【００１３】
ベース枠２０の上枠部２０ｂ内には上枠部２０ｂの断面形状とほぼ等しい断面形状を有し、後端部がベース枠２０の後方へ突出されたカバー板２３の前部が嵌め込まれ、このカバー板２３の外側面には前後方向へ延長された多数個の突条が形成されている。
【００１４】
ベース枠２０はメッキされた合成樹脂製のメッキ板部が透明合成樹脂製の透明板部の上部に接合されて形成され、ベース枠２０にはその後側に設置された第１取付けベース２５が結合されている。
【００１５】
第１取付けベース２５のメッキ板部の左右方向中央部には前方へ円弧状に凸曲した中窓枠部２５ａと、この中窓枠部２５ａの下部の両側縁にそれぞれ連接された左右１対の横窓部２５ｂとが形成され、中窓枠部２５ａの上端には横方向へ配列された４つの上表示灯孔２５ｃが貫設されるとともに、中窓枠部２５ａにはその上端付近から下端付近にわたって縦長状の中窓２５ｄが開口され、この中窓２５ｄには前方へ凸円弧状に湾曲した横断面形状を有する半透明の中窓板２６が嵌め込まれている。
【００１６】
両横窓枠２５ｂには楕円形状の横窓２５ｅと、この横窓２５ｅの下方に隣設された２つの下表示灯孔２５ｆとがそれぞれ開設され、両横２５ｅにはそれぞれ半透明の横窓板２７が嵌め込まれている。
【００１７】
第１取付けベース２５の透明板部の下部にはメッキ板部の前下方へ前下り状に傾斜した窓板部２５ｇと、この窓板部２５ｇの前端縁に連接されて中央部付近が凸円弧状に湾曲されたレンズ板部２５ｈと、窓板部２５ｇの両側縁に連接されてカバー板２３の両下端後部の下方にそれぞれ垂立された左右の仕切り板部２５ｉとが形成されている。
【００１８】
第１取付けベース２５の上部にはその後側に隣接して垂立されたＬＥＤ基板２８がビス着され、このＬＥＤ基板２８には各上表示灯孔２５ｃの後方にそれぞれ隣設された４つの装飾ＬＥＤ３１と、各下表示灯２５ｆの後方にそれぞれ隣設された４つの記憶数表示ＬＥＤ３２と、左側の横窓２５ｅの後方に隣設された連続回数表示ＬＥＤ３３と、右側の横窓２５ｅの後方に隣設された大入賞口入賞数表示ＬＥＤ３４と、中窓２５ｄの後方に隣設されて中窓板２６で前面がカバーされた上下１対の上第１表示体３０Ａおよび下第１表示体３０Ａ，３０Ｂとの各端子がそれぞれはんだ付けされている。
【００１９】
両第１表示体３０Ａ，３０Ｂ（電気的表示手段に相当する。）としては発光素子によって複数の図柄を電気的に変動表示するＬＥＤ，ＬＣＤ等が適用され、本例では８×８ドットのドット素子がマトリックス状に配列されたドットＬＥＤが使用されている。
【００２０】
両第１表示体３０Ａ，３０Ｂはパチンコ球が左右始動口５および中始動口９ａに入賞したときに図柄の変動表示を開始する。
【００２１】
両第１表示体３０Ａ，３０Ｂが変動表示する上図柄および中図柄は１，２，３、４、５、６、７、８、９，Ｌ，Ａ，Ｎ，Ｄの１３種類で、上第１表示体３０Ａは１３図柄を始めに１図柄０．１２８秒、１周期１．６６４秒の移行速度で４．０４秒間高速変動表示し、続いて１図柄０．５１２秒、１周期６．６５６秒の移行速度で１．０２４秒間低速変動表示してから、図柄の変動表示を停止し、０〜１２の上停止図柄データのうちの１つの上停止図柄データに該当する上図柄が特定される。
【００２２】
下第１表示体３０Ｂは前記１３図柄を１図柄０．１２８秒、１周期１．６６４秒の移行速度で５．０６４秒間高速変動表示し、続いて１図柄０．５１２秒、１周期６．６５６秒の移行速度で１．０２４秒間低速変動表示してから、図柄の変動表示を停止し、０〜１２の中停止図柄データのうちから１つの中図柄データに該当する中図柄が特定され、上図柄および中図柄が一致した場合にリーチと判定される。
【００２３】
ＬＥＤ基板２８の後方にはリード線束が接続されるコネクタ４６が後面に取付けられた中継基板２９が垂直状に設置され、この中継基板２９とＬＥＤ基板２８とはＬＥＤ基板２８の後面の左右端部と中継基板２９の前面の左右端部とにそれぞれ取付けられた左右各１対の基板用コネクタ４３によって分離可能に結合されている。
【００２４】
第１取付けベース２５の下部にはその後下方に前下り状に傾斜して設置された第２取付けベース３５が結合されている。
【００２５】
第２取付けベース３５の前部下面には表示灯基板４４が結合され、この表示灯基板４４の前面には３つの表示灯４５が取付けられている。
【００２６】
第２取付けベース３５の下面中央部には表示体駆動モータ３６がモータベース３７を介して取付けられている。
【００２７】
表示体駆動モータ３６の出力軸３６ａには透明板の表面に印刷シートを貼着した構造を有する円盤状の第２表示体４０の中央部が結合され、この第２表示体４０の前端付近は第１取付けベース２５の窓板部２５ｇの下側に設置されている。
【００２８】
第２表示体４０（機械的表示手段に相当する。）の表面の印刷シートには周方向へ配列されたＶ、青星、聖書、黄星、剣、赤星、地図、青星、ドクロ、黄星、気球、赤星、ダイヤ、ピンク星、太陽、ピンク星の１２種類、１６個の下図柄が印刷によって連記されている。
【００２９】
第２表示体４０の下面の周縁部には１２種類、１６個の下図柄のうちのＶが両第１表示体３０Ａ，３０Ｂの直下の特定位置へ移行して上図柄、中図柄、Ｖが縦一列に並んだときに第２取付けベース３５に取付けられた下図柄定位置検出スイッチ（投光部と受光部とが一体的に設けられた光電センサ）３８の投光線を遮るように配設された遮蔽体４１が突設され、下図柄定位置検出スイッチ３８には遮蔽体４１が通過する検出溝３８ａが凹設されている。
【００３０】
第２表示体４０はパチンコ球が左右始動口５、中始動口９ａに入賞したときに両第１表示体３０Ａ，３０Ｂの変動表示開始と同時に回転動作を開始して図柄の変動表示を開始し、前記１２種類、１６個の図柄を１図柄０．０９６秒、１周期１．５３６秒の移行速度で変動表示し、第２表示体４０が停止したときに上中図柄の直下で停止した図柄が下図柄となる。
【００３１】
両第１表示体３０Ａ，３０Ｂが特定した上図柄および中図柄が一致せずにリーチ以外と判定された場合には第２表示体４０は下第１表示体３０Ｂが変動表示を停止してから（下図柄の変動表示を開始してから６．０８８秒後に）、さらに０．０５６〜１．４９６秒間変動表示を継続して下図柄を特定し、その０．４秒後に上、中、下図柄の組合わせが判定される。
【００３２】
両第１表示体３０Ａ，３０Ｂが特定した上図柄および中図柄が一致してリーチと判定された場合には第２表示体４０は下第１表示体３０Ｂが変動表示を停止してから、０．０５６〜１．４９６秒間変動表示を継続し、さらに、０．４秒間停止して０．０９６秒間変動表示する間欠変動表示を変動時間Ｆ秒間反復してから、下図柄の変動表示を停止し、その０．００４秒後に上、中、下図柄の組合わせが判定される。
【００３３】
第２表示体４０が停止および変動表示を反復する変動時間Ｆおよび変動図柄数は下図柄変動用乱数の値（０，１）と、下停止図柄データ（０〜１５）とに基づいて表１、表２に示すように７．９３６〜１６．３６８秒間で、１６〜３３図柄と設定されている。
【００３４】
【表１】
0004092422.tif 000002
【００３５】
【表２】
0004092422.tif 000003
【００３６】
第２表示体４０の停止図柄は（０〜２０７）の大当り判定用乱数の値に基づいて選定され、大当り判定用乱数の値が７となった場合に第２表示体４０の停止図柄がＶとなる。
【００３７】
上図柄および中図柄が同図柄となってリーチとなり、第２表示体４０の停止図柄がＶとなった場合、すなわち、上、中、下図柄の組合わせが１１Ｖ，２２Ｖ，３３Ｖ，４４Ｖ，５５Ｖ，６６Ｖ，７７Ｖ，８８Ｖ，９９Ｖ，ＬＬＶ，ＡＡＶ，ＮＮＶ，ＤＤＶのうちの何れかとなった場合に大当りとなり、それ以外の場合は外れとなる。
【００３８】
上、中、下図柄の組合わせが大当りとなった場合には上、中、下図柄の判定から３．５０４後に連続作動装置が有効となって大入賞口４が２９．５秒間開放され、大入賞口４の開放中に大入賞口４に入賞した入賞球が特定領域６を通過すると、大入賞口４の閉鎖時から２秒後に再度大入賞口４が２９．５秒間開放され、大入賞口４が２秒間閉鎖されて２９．５秒間開放される開閉態様が連続して繰返される。この大入賞口４の連続開閉の回数は初回を含めて最高１６回まで許容され、大入賞口４の１６回目の開放時に連続作動装置が無効となる。
【００３９】
入賞球が特定領域６を通過すると、上第１表示体３０Ａと下第１表示体３０Ｂとが大当り確定図柄とＶとを周期２．０４８秒で切替え表示する。
【００４０】
記憶数表示ＬＥＤ３２はパチンコ球が左右始動口５、中始動口９ａに入賞する毎に１灯ずつ増加点灯される。
【００４１】
連続回数表示ＬＥＤ３３および大入賞口入賞数表示ＬＥＤ３４は大入賞口４の開放前３．５秒間はそれぞれ０を表示し、大入賞口４の開放時には連続回数表示ＬＥＤ３３は、大入賞口４の連続開閉回数を点灯表示し、大入賞口入賞数表示ＬＥＤ３４は大入賞口４への入賞数を点灯表示し、大入賞口４の開放時以外は連続回数表示ＬＥＤ３３の上部および下部と、大入賞口入賞数表示ＬＥＤ３４の下部および上部とが切替え時間０．５１２秒、周期１．０２４秒で交互に反復して移動点灯される。
【００４２】
装飾ＬＥＤ３１はその番号を左から順に１，２，３，４とすると、始動口入賞時にリーチ以外の場合には１，１２，１２３，１２３４，４，３４，２３４，１２３４の順に切替え時間０．２５６秒、周期２．０４８秒で点灯され、大当り時には各装飾ＬＥＤ３１は０．１２８秒の周期で点滅される。
【００４３】
表示灯４５は大当り時および大当り動作終了後６．００４秒間は周期０．２５６秒で点滅されて第２表示体４０が特定した下図柄を照射する。
【００４４】
続いて、上記した構成をもつ実施例の作用と効果を説明する。
本例では発光素子によって電気的に表示される複数の図柄の変動表示が可能な上下第１表示体３０Ａ，３０Ｂと、当り図柄Ｖを含む１５種類の図柄が連記され、表示体駆動モータ３６によって回転駆動されて図柄を変動表示する第２表示体４０とを有する図柄表示装置２と、各表示体３０Ａ，３０Ｂ，４０が特定した上、中、下図柄の組合わせの判定結果に基づいて開閉制御される大入賞口４を有する入賞装置２とを装着してある。
【００４５】
このため、大入賞口４を開放させる条件を、第１表示体３０Ａ，３０Ｂによって電気的に変動表示される上、中図柄と、第２表示体４０の回転によって変動表示される下図柄との組合わせに基づいて規定することができ、特定する図柄の表示態様および特定する図柄の組合わせを特異化して大入賞口を開放させる条件設定に関して新規な趣向を加えることができる。
【図面の簡単な説明】
【図１】  本発明の１実施例を示す遊技盤の正面図である。
【図２】  遊技盤の裏面図である。
【図３】  図柄表示装置の正面図である。
【図４】  図柄表示装置の側断面図である。
【図５】  第２表示体の平面図である。
【図６】  パチンコ機の制御回路のブロック図である。
【図７】  第１表示体、第２表示体の変動表示態様を説明するタイムチャートである。
【図８】  大入賞口の開閉態様を説明するタイムチャートである。
【符号の説明】
１  遊技盤
２  図柄表示装置
３  入賞装置
４  大入賞口
３０Ａ，３０Ｂ  第１表示体
３６  表示体駆動モータ
４０  第２表示体
【図１】
0004092422.tif 000004
【図２】
0004092422.tif 000005
【図３】
0004092422.tif 000006
【図４】
0004092422.tif 000007
【図５】
0004092422.tif 000008
【図６】
0004092422.tif 000009
【図７】
0004092422.tif 000010
【図８】
0004092422.tif 000011